(57)【要約】  少なくとも１つの無線送受信ユニット（ＷＴＲＵ）および少なくとも１つの発展版Ｎｏｄｅ−Ｂ（ｅＮｏｄｅＢ）を含む長期発展（ＬＴＥ）無線通信システムにおけるアップリンク（ＵＬ）およびダウンリンク（ＤＬ）上の無線リンク（ＲＬ）障害を検出するための方法および装置が開示されている。ＲＬが同期内状況または同期外れ状況を有しているかについて判定が行われる。同期外れ状況が検出された場合、ＲＬ障害が宣言される。
2009536502.tif 000002
【特許請求の範囲】
【請求項１】
少なくとも１つの無線送受信ユニット（ＷＴＲＵ）および少なくとも１つの発展版Ｎｏｄｅ−Ｂ（ｅＮｏｄｅＢ）を備えた長期発展（ＬＴＥ）無線通信システムにおける無線リンク（ＲＬ）障害を検出する方法であって、
ＲＬが同期内状況であるか、同期外れ状況であるかを検出するステップと、
同期外れ状況が検出された場合にＲＬ障害を宣言するステップと
を含むことを特徴とする方法。
【請求項２】
ダウンリンク（ＤＬ）基準チャネルから測定されたチャネル品質標識（ＣＱＩ）が前記ｅＮｏｄｅＢに報告され、前記ＣＱＩが、特定の期間内でしきい値未満である場合、前記ＲＬ障害が宣言されることを特徴とする請求項１に記載の方法。
【請求項３】
前記ＷＴＲＵによって伝送されたアップリンク（ＵＬ）基準チャネル上で測定されたチャネル品質標識（ＣＱＩ）が、特定の期間内でしきい値未満である場合、前記ＲＬ障害が宣言されることを特徴とする請求項１に記載の方法。
【請求項４】
ダウンリンク（ＤＬ）データ共用物理チャネルの品質が、指定された期間中、特定のしきい値未満である場合、前記ＲＬ障害が宣言されることを特徴とする請求項１に記載の方法。
【請求項５】
前記ＷＴＲＵで、指定された比率未満の肯定応答（ＡＣＫ）／否定応答（ＮＡＣＫ）比が生成された場合、前記ＲＬ障害が宣言されることを特徴とする請求項１に記載の方法。
【請求項６】
前記ｅＮｏｄｅＢが量および適切なしきい値、タイマ、カウンタならびにパラメータの、ＲＬ状況の検出に使用すべきサブセットを選択するステップと、
前記ｅＮｏｄｅＢが前記選択されたサブセットを前記ＷＴＲＵに通知するステップと
をさらに含むことを特徴とする請求項１に記載の方法。
【請求項７】
少なくとも１つの無線送受信ユニット（ＷＴＲＵ）および少なくとも１つの発展版Ｎｏｄｅ−Ｂ（ｅＮｏｄｅＢ）を備えた長期発展（ＬＴＥ）無線通信システムにおける無線リンク（ＲＬ）障害を検出する方法であって、
シグナリング無線ベアラ（ＳＲＢ）用に維持される事前に割り振られたダウンリンクシンチャネルがある場合、ダウンリンクＳＲＢ伝送のための品質を推定するために、ダウンリンクシンチャネルのチャネル品質を測定するステップと、
ダウンリンクＲＬ障害を実行するために量およびパラメータを構成するステップと、
ダウンリンクＲＬ障害が検出された場合、前記ＷＴＲＵがダウンリンクＲＬ障害状況を前記ｅＮｏｄｅＢに通知するステップと
を含むことを特徴とする方法。
【請求項８】
前記ダウンリンクシンチャネルは、定期的および／または一時的に特定のＷＴＲＵに割り振られる非競合型チャネルであることを特徴とする請求項７に記載の方法。
【請求項９】
前記ＷＴＲＵがダウンリンクＲＬ回復を開始するために必要な処置を取るステップと、
前記ＷＴＲＵが新しいＲＬ障害検出を実行するためのタイマおよびカウンタをリセットするステップと
をさらに含むことを特徴とする請求項７に記載の方法。
【請求項１０】
ダウンリンク（ＤＬ）基準チャネルから測定されたチャネル品質標識（ＣＱＩ）が前記ｅＮｏｄｅＢに報告され、前記ＣＱＩが、特定の期間内でしきい値未満である場合、前記ＲＬ障害が宣言されることを特徴とする請求項７に記載の方法。
【請求項１１】
前記ＷＴＲＵによって伝送されたアップリンク（ＵＬ）基準チャネル上で測定されたチャネル品質標識（ＣＱＩ）が、特定の期間内でしきい値未満である場合、前記ＲＬ障害が宣言されることを特徴とする請求項７に記載の方法。
【請求項１２】
ダウンリンク（ＤＬ）データ共用物理チャネルの品質が、指定された期間中、特定のしきい値未満である場合、前記ＲＬ障害が宣言されることを特徴とする請求項７に記載の方法。
【請求項１３】
前記ＷＴＲＵで、指定された比率未満の肯定応答（ＡＣＫ）／否定応答（ＮＡＣＫ）比が生成された場合、前記ＲＬ障害が宣言されることを特徴とする請求項７に記載の方法。
【請求項１４】
少なくとも１つの無線送受信ユニット（ＷＴＲＵ）および少なくとも１つの発展版Ｎｏｄｅ−Ｂ（ｅＮｏｄｅＢ）を備えた長期発展（ＬＴＥ）無線通信システムにおける無線リンク（ＲＬ）障害を検出する方法であって、
シグナリング無線ベアラ（ＳＲＢ）用に維持される事前に割り振られたアップリンクシンチャネルがある場合、アップリンクＳＲＢ伝送のための品質を推定するために、アップリンクシンチャネルのチャネル品質を測定するステップと、
アップリンクＲＬ障害を実行するために量およびパラメータを構成するステップと、
アップリンクＲＬ障害が検出された場合、前記ｅＮｏｄｅＢがアップリンクＲＬ障害状況を前記ＷＴＲＵに通知するステップと
を含むことを特徴とする方法。
【請求項１５】
前記アップリンクシンチャネルは、定期的および／または一時的に特定のＷＴＲＵに割り振られる非競合型チャネルであることを特徴とする請求項１４に記載の方法。
【請求項１６】
前記ｅＮｏｄｅＢがアップリンクＲＬ回復を開始するために必要な処置を取るステップと、
前記ｅＮｏｄｅＢが新しいＲＬ障害検出を実行するためのタイマおよびカウンタをリセットするステップと
をさらに含むことを特徴とする請求項１４に記載の方法。
【請求項１７】
アップリンク（ＵＬ）基準チャネルから測定されたチャネル品質標識（ＣＱＩ）が前記ｅＮｏｄｅＢに報告され、前記ＣＱＩが、特定の期間内でしきい値未満である場合、前記ＲＬ障害が宣言されることを特徴とする請求項１４に記載の方法。
【請求項１８】
前記ｅＮｏｄｅＢによって伝送されたダウンリンク（ＤＬ）基準チャネル上で測定されたチャネル品質標識（ＣＱＩ）が、特定の期間内でしきい値未満である場合、前記ＲＬ障害が宣言されることを特徴とする請求項１４に記載の方法。
【請求項１９】
アップリンク（ＵＬ）データ共用物理チャネルの品質が、指定された期間中、特定のしきい値未満である場合、前記ＲＬ障害が宣言されることを特徴とする請求項１４に記載の方法。
【請求項２０】
前記ｅＮｏｄｅＢで、指定された比率未満の肯定応答（ＡＣＫ）／否定応答（ＮＡＣＫ）比が生成された場合、前記ＲＬ障害が宣言されることを特徴とする請求項１４に記載の方法。
【請求項２１】
事前に定義された定期的またはポーリングＵＬタイミング同期信号が、指定された期間、受信されない場合、前記ＲＬ障害が宣言されることを特徴とする請求項１４に記載の方法。
【請求項２２】
スケジューリング認可に対する応答が、指定された期間、行われない場合、前記ＲＬ障害が宣言されることを特徴とする請求項１４に記載の方法。
【請求項２３】
無線リンク（ＲＬ）障害を検出するための長期発展（ＬＴＥ）無線通信システムであって、
少なくとも１つの無線送受信ユニット（ＷＴＲＵ）と、
同期外れ状況が検出された場合、ＲＬ障害が宣言される少なくとも１つの発展版Ｎｏｄｅ−Ｂ（ｅＮｏｄｅＢ）と
を備えることを特徴とするシステム。
【請求項２４】
前記ｅＮｏｄｅＢと前記ＷＴＲＵの間に確立されるダウンリンク共用制御チャネルと、
前記ｅＮｏｄｅＢと前記ＷＴＲＵの間に確立されるダウンリンク共用データチャネルと、
前記ｅＮｏｄｅＢと前記ＷＴＲＵの間に確立される少なくとも１つのダウンリンク基準チャネルと、
前記ｅＮｏｄｅＢと前記ＷＴＲＵの間に確立されるダウンリンクシンチャネルと
をさらに備えることを特徴とする請求項２３に記載のＬＴＥ無線通信システム。
【請求項２５】
前記ダウンリンクシンチャネルは、定期的および／または一時的に特定のＷＴＲＵに割り振られる非競合型チャネルであることを特徴とする請求項２３に記載のシステム。
【請求項２６】
前記ｅＮｏｄｅＢと前記ＷＴＲＵの間に確立されるアップリンク共用制御チャネルと、
前記ｅＮｏｄｅＢと前記ＷＴＲＵの間に確立されるアップリンク共用データチャネルと、
前記ｅＮｏｄｅＢと前記ＷＴＲＵの間に確立される少なくとも１つのアップリンク基準チャネルと、
前記ｅＮｏｄｅＢと前記ＷＴＲＵの間に確立されるアップリンクシンチャネルと
をさらに備えることを特徴とする請求項２３に記載のＬＴＥ無線通信システム。
【請求項２７】
前記アップリンクシンチャネルは、定期的および／または一時的に特定のＷＴＲＵに割り振られる非競合型チャネルであることを特徴とする請求項２６に記載のシステム。
【請求項２８】
長期発展（ＬＴＥ）無線通信システムにおいて無線通信用に構成される無線送受信ユニット（ＷＴＲＵ）であって、
ダウンリンク（ＤＬ）ＲＬ障害検出を実行するために、基地局から受信された無線リンク（ＲＬ）障害検出構成データに基づいて選択的に構成可能な処理構成要素であって、前記処理構成要素が基地局からＲＬ障害検出構成データを受信したとき、前記処理構成要素は、ＤＬ  ＲＬ障害を検出するために、前記受信されたＲＬ障害検出構成データによって指定された基準をモニタするように構成可能な処理構成要素と、
ＤＬ  ＲＬ障害が検出されたときにＤＬ  ＲＬ障害標示を生成するようにさらに構成される前記処理構成要素と
を備えることを特徴とするＷＴＲＵ。
【請求項２９】
前記ＷＴＲＵは、物理（ＰＨＹ）層、中間アクセス制御（ＭＡＣ）層および上位層を含む処理層の階層を用いて構成され、前記処理構成要素はＭＡＣ層構成要素であることを特徴とする請求項２８に記載のＷＴＲＵ。
【請求項３０】
前記ＷＴＲＵは、ＤＬ  ＲＬ障害標示が生成されたとき、ＤＬ  ＲＬ障害標示を前記基地局へ伝送するように構成されることを特徴とする請求項２８に記載のＷＴＲＵ。
【請求項３１】
前記ＷＴＲＵは、ＤＬ  ＲＬ障害標示が生成されたとき、ＤＬ  ＲＬ回復処置を実行するように構成されることを特徴とする請求項２８に記載のＷＴＲＵ。
【請求項３２】
前記基地局が発展版Ｎｏｄｅ−Ｂ（ｅＮｏｄｅＢ）であることを特徴とする請求項２８に記載のＷＴＲＵ。
【請求項３３】
前記処理構成要素は、受信された構成データに基づいて、選択された組み合わせの基準をモニタするように構成され、前記基準は、
ＤＬ基準チャネルから、例えば、パイロットチャネルまたはブロードキャストチャネルから測定されて、前記基地局に報告されるチャネル品質標識（ＣＱＩ）が、一定の期間内で指定されたしきい値未満であるかどうかと、
前記ＷＴＲＵから伝送されたアップリンク（ＵＬ）基準チャネル上で測定された、前記ＷＴＲＵによって報告されたＣＱＩが、一定の期間内で指定されたしきい値未満であるかどうか、または規則的に受信できないかどうかと、
ＵＬおよびＤＬ両方のＣＱＩの組み合わせと、
ＤＬ共通共用制御物理チャネルの品質、例えば、信号対干渉比（ＳＩＲ）、ビットエネルギー対雑音電力スペクトル密度（ＥｂＮｏ）、または巡回冗長検査（ＣＲＣ）対ブロックエラー比（ＢＬＥＲ）の比率（ＣＲＣ／ＢＬＥＲ）が、指定された期間中、特定のしきい値未満であるかどうかと、
ＤＬ専用共用制御物理チャネルの品質、例えば、ＳＩＲ、ＥｂＮｏまたはＣＲＣ／ＢＬＥＲなどが、指定された期間中、特定のしきい値未満であるかどうかと、
ＤＬデータ共用物理チャネルの品質、例えば、ＳＩＲ、ＥｂＮｏまたはＣＲＣ／ＢＬＥＲなどが、指定された期間中、特定のしきい値未満であるかどうかと、
ＤＬデータパケット用に前記ＷＴＲＵで生成され、ＵＬでフィードバックされる肯定応答対否定応答（ＡＣＫ／ＮＡＣＫ）比が、指定されたしきい値未満であるかどうかと、
ＵＬデータパケット用に前記基地局からフィードバックされるＡＣＫ／ＮＡＣＫ比が、指定されたしきい値未満であるかどうかと、
ＤＬデータパケット用に前記ＷＴＲＵで生成され、ＵＬでフィードバックされるＡＣＫ／ＮＡＣＫ比が、指定されたしきい値未満であるかどうか、およびＵＬデータパケット用に前記基地局からフィードバックされるＡＣＫ／ＮＡＣＫ比が、指定されたしきい値未満であるかどうかの組み合わせと、
割り振られたＵＬ資源がシグナリング無線ベアラ（ＳＲＢ）ビット速度を保証できないかどうかと、
アップリンク専用物理チャネルで送信された単一／複数の資源要求への応答なしに続いてタイムアウトがあるかどうかと、
アクティブ状態のランダムアクセスチャネル（ＲＡＣＨ）で送信された単一または複数の資源要求への応答なしに続いてタイムアウトがあるどうかと、
ＤＬデータ共用物理チャネルの品質、例えば、ＳＩＲ、ＥｂＮｏまたはＣＲＣ／ＢＬＥＲなどが、指定された期間中、特定のしきい値未満であるかどうかと、
ＤＬデータパケット用に前記ＷＴＲＵで生成されたＡＣＫ／ＮＡＣＫ比が、指定されたしきい値未満であるかどうかと、
ＵＬデータパケット用に前記基地局からのフィードバックとして提供されるＡＣＫ／ＮＡＣＫ比が、指定されたしきい値未満であるかどうかと、
ＤＬデータパケット用に前記ＷＴＲＵで生成されたＡＣＫ／ＮＡＣＫ比が、指定されたしきい値未満であるかどうか、およびＵＬデータパケット用に前記基地局からのフィードバックとして提供されるＡＣＫ／ＮＡＣＫ比が、指定されたしきい値未満であるかどうかとの組み合わせと、
のうちの１つまたは複数を含むことを特徴とする請求項２８に記載のＷＴＲＵ。
【請求項３４】
長期発展（ＬＴＥ）無線通信システムにおける無線通信用に構成される発展版Ｎｏｄｅ−Ｂ（ｅＮｏｄｅＢ）であって、
アップリンク（ＵＬ）ＲＬ障害検出を実行するために、基地局から受信された無線リンク（ＲＬ）障害検出構成データに基づいて選択的に構成可能な処理構成要素であって、前記処理構成要素が無線送受信ユニット（ＷＴＲＵ）からＲＬ障害検出構成データを受信したとき、前記処理構成要素は、ＵＬ  ＲＬ障害を検出するために、前記受信されたＲＬ障害検出構成データによって指定された基準をモニタするように構成可能な処理構成要素と、
ＵＬ  ＲＬ障害が検出されたとき、ＵＬ  ＲＬ障害標示を生成するようにさらに構成される前記処理構成要素と
を備えることを特徴とするｅＮｏｄｅＢ。
【請求項３５】
前記ｅＮｏｄｅＢは、物理（ＰＨＹ）層、中間アクセス制御（ＭＡＣ）層および上位層を含む処理層の階層を用いて構成され、前記処理構成要素はＭＡＣ層構成要素であることを特徴とする請求項３４に記載のｅＮｏｄｅＢ。
【請求項３６】
前記ｅＮｏｄｅＢは、ＵＬ  ＲＬ障害標示が生成されたとき、ＵＬ  ＲＬ障害標示を前記ＷＴＲＵへ伝送するように構成されることを特徴とする請求項３４に記載のｅＮｏｄｅＢ。
【請求項３７】
前記ｅＮｏｄｅＢは、ＵＬ  ＲＬ障害標示が生成されたとき、ＵＬ  ＲＬ回復処置を実行するように構成されることを特徴とする請求項３４に記載のｅＮｏｄｅＢ。
【請求項３８】
前記処理構成要素は、受信された構成データに基づいて、選択された組み合わせの基準をモニタするように構成され、前記基準は、
ＵＬ基準チャネルから測定されたチャネル品質標識（ＣＱＩ）が、一定の期間内で指定されたしきい値未満であるかどうかと、
前記ｅＮｏｄｅＢから伝送されたダウンリンク（ＤＬ）基準チャネル上で測定された、前記ＷＴＲＵからのフィードバックからのＣＱＩが、一定の期間内で指定されたしきい値未満であるかどうかと
のうちの１つまたは複数を含むことを特徴とする請求項３４に記載のｅＮｏｄｅＢ。
【発明の詳細な説明】
【技術分野】
【０００１】
本発明は、特に長期発展（ＬＴＥ）システムなどの無線通信システム用に設計された中間アクセス制御（ＭＡＣ）層を有する、無線通信のための方法および装置に関する。より詳細には、本発明は、ＬＴＥシステム内に既存の専用チャネルがない場合にアップリンク（ＵＬ）およびダウンリンク（ＤＬ）の両方向における無線リンク（ＲＬ）の障害を検出するための、ＬＴＥ  ＭＡＣにおける基準および手順に関する。
【背景技術】
【０００２】
発展版ユニバーサル地上無線アクセス（ＥＵＴＲＡ）およびユニバーサル地上無線アクセスネットワーク（ＵＴＲＡＮ）の目的は、システム容量およびカバレージが改善された、高速データ転送、低レイテンシ、パケット最適化システムを特徴とする無線アクセスネットワークを提供することである。これを達成するためには、発明者は、無線ネットワークアーキテクチャだけでなく無線インターフェイスの発展が必要であることに気付いた。例えば、第３世代パートナーシッププロジェクト（３ＧＰＰ）で現在使用されている符号分割多重アクセス（ＣＤＭＡ）を使用する代わりに、ＥＵＴＲＡ  ＵＴＲＡＮのＤＬおよびＵＬ伝送のそれぞれで使用されるエアインターフェイス技術として、直交周波数分割多重アクセス（ＯＦＤＭＡ）および周波数分割多重アクセス（ＦＤＭＡ）が提案されている。
【０００３】
ネットワークからハンドオーバメッセージなどの重要な情報を伝送することにより、例えば、３ＧＰＰにおいて、そのような情報を専用チャネル（ＤＣＨ）セルレベル（Ｃｅｌｌ＿ＤＣＨ）状態で伝送することにより無線送受信ユニット（ＷＴＲＵ）とネットワーク間の接続を維持するために、シグナリング無線ベアラ（ＳＲＢ）が使用される。現在の３ＧＰＰ標準では、ＳＲＢは、専用物理チャネルにマッピングされている専用トランスポートチャネル（ＴｒＣＨ）（すなわち、ＤＣＨ）にマッピングされる。  専用物理チャネルは、専用物理制御チャネル（複数）（ＤＰＣＣＨ）および専用物理データチャネル（複数）（ＤＰＤＣＨ）を含む。
【０００４】
ＳＲＢの障害を検出するため、および障害に続いて必要な対策を取るためには、特定の基準および手順が設計される必要がある。これは、無線リンク（ＲＬ）障害検出として知られている。３ＧＰＰでは、同期内（ｉｎ−ｓｙｎｃｈｒｏｎｉｚａｔｉｏｎ）状況および同期外れ（ｏｕｔ−ｏｆ−ｓｙｎｃｈｒｏｎｉｚａｔｉｏｎ）状況を報告するために推定すべき２つの量がある。一方の量はＤＰＣＣＨ品質であり、他方の量は、ＳＲＢがマッピングされている受信トランスポートブロックに関する巡回冗長検査（ＣＲＣ）の結果である。
【０００５】
同期内状況または同期外れ状況を報告するための特定の基準が満たされているかどうかを検査するためには、Ｎｏｄｅ−ＢまたはＷＴＲＵは、ＤＰＣＣＨ量の推定およびＣＲＣの計算を並行して行う必要がある。特定された基準は、ＳＲＢが共用チャネルにマッピングされている場合のみ適用可能であればよく、関連の制御チャネルは、ＲＬ障害条件の場合のみ識別される。
【０００６】
専用物理チャネルの利用可能性は、物理層によって上位層へ物理チャネル同期内状況標識または物理チャネル同期外れ状況標識で示される。ＲＬは、使用可能であってデータを正常に受信できる場合に同期内（ｉｎ−ｓｙｎｃ）と言われる。そうでない場合、ＲＬは障害発生中、すなわち、同期外れ（ｏｕｔ−ｏｆ−ｓｙｎｃ）と言われる。現在の３ＧＰＰ標準では、専用物理チャネルをモニタすること、各無線フレームのｉｎ−ｓｙｎｃおよびｏｕｔ−ｏｆ−ｓｙｎｃ状況を判定すること、およびその結果を、プリミティブ（ｐｒｉｍｉｔｉｖｅｓ）物理層制御メッセージ同期内標識（ＣＰＨＹ−ｉｎ−ｓｙｎｃ−ＩＮＤ）および物理層制御メッセージ同期外れ標識（ＣＰＨＹ−ｏｕｔ−ｏｆ−ｓｙｎｃ−ＩＮＤ）を用いて無線資源制御（ＲＲＣ）層に報告することは、物理層の責務である。ＲＲＣ層は、これらの標示ならびに関連のタイマおよびカウンタに基づいて、該当する場合、物理チャネルの確立または失敗、あるいはＲＬ障害を宣言する。
【０００７】
３ＧＰＰでは、高速ＤＬパケットアクセス（ＨＳＰＤＡ）プロトコルおよび高速ＵＬパケットアクセス（ＨＳＵＰＡ）プロトコルは、主として、連続チャネル割り振りを必要としないサービスに高速共用チャネルを利用する。そのようなチャネルは、障害が発生した伝送の効率のよい、速い回復のために、Ｎｏｄｅ−Ｂ群とＷＴＲＵ群の間で、チャネル割り当ておよびハイブリッドオートマティックリピートリクエスト（ｈｙｂｒｉｄ  ａｕｔｏｍａｔｉｃ  ｒｅｐｅａｔ  ｒｅｑｕｅｓｔ）（Ｈ−ＡＲＱ）用の速い物理層およびＭＡＣ層シグナリングを利用する。
【発明の開示】
【発明が解決しようとする課題】
【０００８】
セルラシステムによってサポートされるサービスが共用チャネルにマッピングされる場合、発明者は、ＳＲＢをサポートするために専用チャネルを使用することは非効率的であることを認識している。これは、トラフィックが連続でないことがあるためである。したがって、共用チャネルはＨＳＤＰＡおよびＨＳＵＰＡでＳＲＢをサポートするために使用することが望ましい。
【課題を解決するための手段】
【０００９】
本発明は、無線通信システム（例えば、ＬＴＥシステム）における無線リンク（ＲＬ）障害検出のための新規基準および手順を実現するための方法および装置に関する。好ましくは、本発明は、ＬＴＥに新規のチャネル構造および特性を利用することにより、ＵＬおよびＤＬ両方向に実施される。好ましくは、共用チャネルはバースト性のＳＲＢを伝送するために使用される。
【００１０】
本発明については、例として示され、添付の図面と関連付けて記載される後述の最良の実施形態から、より詳細に理解できるであろう。
【発明を実施するための最良の形態】
【００１１】
これ以降で参照された場合、用語「無線送受信ユニット（ＷＴＲＵ）」は、ユーザ機器（ＵＥ）、移動局、固定または移動加入者ユニット、ページャー、セルラ電話、パーソナルデジタルアシスタント（ＰＤＡ）、コンピュータ、または無線環境で動作できる任意の他のタイプのユーザデバイスを含むが、それらに限定されるわけではない。これ以降で参照された場合、用語「発展型Ｎｏｄｅ−Ｂ（ｅＮｏｄｅＢ）」は、基地局、サイトコントローラ、アクセスポイント（ＡＰ）、または無線環境で動作できる任意の他のタイプのインターフェイス型デバイスを含むが、それらに限定されるわけではない。
【００１２】
これ以降で参照された場合、用語「シンチャネル（ｔｈｉｎ  ｃｈａｎｎｅｌ）」は、定期的および／または一時的に特定のＷＴＲＵに割り振られる非競合型チャネルである。シンチャネルは、無線リンク状況を維持し、他の制御シグナリングを提供するために必要とされる場合、動的に割り振られてよい（すなわち、オンとオフを切り替えることができる）。他の制御シグナリングとしては、タイミングアドバンスを維持するため同期バースト、スケジューリング要求、スケジューリング割り振り、または他の任意のチャネル関連の制御シグナリングなどがある。
【００１３】
ＬＴＥシステムでは、ＤＬおよびＵＬ両方の伝送に共用物理チャネルのみが使用される。したがって、共用物理チャネルを介して、リアルタイム（すなわち、ボイスオーバインターネットプロトコル（ＶｏＩＰ））、および非リアルタイム（すなわち、Ｗｅｂブラウジング）両方のデータトラフィックに加えて、ＳＲＢにマッピングされた制御メッセージが伝送される。これが、専用チャネル（ＤＣＨ）で制御メッセージを伝送するシステムとの差異である。
【００１４】
共用チャネルに関するＳＲＢの消失および回復のＷＴＲＵおよびＵＴＲＡＮ検出を確実に行うことは、専用チャネルが使用される場合と異なる問題である。専用チャネルがない場合、提案されたトラフィック負荷でのバースト性が、ＳＲＢ障害未検出の原因になることがある。この問題は、ＤＬおよびＵＬ両方に存在する。
【００１５】
ＷＴＲＵ  １０５、および本発明に従ってこの問題に対処する発展版Ｎｏｄｅ−Ｂ（ｅＮｏｄｅＢ）１１０を含むＬＴＥシステム１００が図１に示されている。ＷＴＲＵ  １０５および発展版Ｎｏｄｅ−Ｂ（ｅＮｏｄｅＢ）１１０は、好ましくは、物理層構成要素、ＭＡＣ層構成要素、および上位層構成要素を含む処理構成要素の階層で構成される。物理層構成要素は、好ましくは、無線信号を物理的に伝送および受信するように構成される。ＭＡＣ層構成要素は、好ましくは、物理層に制御機能を提供するように、物理層によるフォーマット化および伝送のための上位層からのデータおよび他のシグナリング用の経路として動作するように、および物理層によって受信されたデータおよび他のシグナリングを上位層構成要素に渡すように構成される。
【００１６】
ＤＬにおけるＲＬ障害の検出  −  ＷＴＲＵにおける手順
図１に示されているように、ＤＬ伝送の場合、スケジューリング情報がＤＬ共用制御チャネル１１５上をｅＮｏｄｅＢ  １１０からＷＴＲＵ  １０５に伝送される。ＤＬ共用制御チャネル１１５で受信される制御シグナリングから、ＷＴＲＵ  １０５は、割り振られる物理資源についての情報を受信する。ＤＬ共用制御チャネル１２０は、ＷＴＲＵ  １０５によって受信されたｅＮｏｄｅＢ  １１０からのデータを、割り振られた物理資源を介して伝送するために使用される。ＷＴＲＵ  １０５は、次いで、ｅＮｏｄｅＢ  １１０にＨ−ＡＲＱフィードバック１２５（すなわち、肯定応答（ＡＣＫ）／否定応答（ＮＡＣＫ））を伝送する。また、ＷＴＲＵ  １０５は、ｅＮｏｄｅＢ  １１０から伝送されて、ＷＴＲＵ  １０５によって受信される少なくとも１つのＤＬ基準チャネル１３５の測定および推定に基づいて、チャネル品質標示（ＣＱＩ）１３０もｅＮｏｄｅＢ  １１０に伝送する。
【００１７】
ＷＴＲＵ  １０５は、同期内状況または同期外れ状況が検出されるかを継続的に判定し、結果をシグナリングメッセージによって報告する。上位層構成要素は、好ましくは、同期外れ状況が検出された場合のみ、適切な基準ならびに関連のタイマおよびカウンタに基づいてＲＬ障害を宣言するように構成される。好ましくは、ＷＴＲＵ  １０５のＭＡＣ層構成要素は、同期内状況または同期外れ状況が検出されるかを判定するように構成される。ＤＬ  ＲＬ障害検出の推定に用いられる量については以下で説明されているが、好ましくは、ＬＴＥ  ＤＬチャネル構造の特性に基づく。
【００１８】
トラフィックの利用可能性の観点から資源の共用およびＷＴＲＵ  １０５への割り振りに対処するために、新規基準に基づいて新しい手順が考案された。様々な共用チャネルおよびそこに保管されている情報を利用することにより、ＷＴＲＵ  １０５のＤＬ  ＲＬ障害を宣言するために、以下の好ましい基準のオプションが使用される。好ましくは、この目的のために、以下の５つの好ましいカテゴリから１つまたは複数の基準の組み合わせが選択される。
【００１９】
１）ＤＬチャネル品質（スライディングウィンドウの平均）
１ａ）ＤＬ基準チャネルから、例えば、パイロットから、またはブロードキャストチャネルから測定されて、ｅＮｏｄｅＢに報告されるＣＱＩが、一定の期間（タイマＴDL_CQI）内、指定されたしきい値ＱDL_CQI未満であるかどうかと、
１ｂ）ＷＴＲＵから伝送されたＵＬ基準チャネル上で測定された、ｅＮｏｄｅＢからのＣＱＩが、一定の期間（タイマＴUL_CQI）内、指定されたしきい値ＱUL_CQI未満であるかどうか、または規則的に受信できないかどうかと、
１ｃ）ＵＬおよびＤＬ両方のＣＱＩの組み合わせ。
【００２０】
２）ＤＬ共用制御チャネル
２ａ）ＤＬ共通共用制御物理チャネルの品質、例えば、信号対干渉比（ＳＩＲ）、ビットエネルギー対雑音電力スペクトル密度（ＥｂＮｏ）、ＣＲＣ／ブロックエラー比（ＢＬＥＲ）（ＱSC_DL_SIR、ＱSC_DL_BLER）が、指定された期間（タイマＴSC_DL_SIR、ＴSC_DL_BLER）中、特定のしきい値未満であるかどうかと、
２ｂ）ＤＬ専用共用制御物理チャネルの品質、例えば、ＳＩＲ、ＥｂＮｏ、ＣＲＣ／ＢＬＥＲなど（ＱDC_DL_SIR、ＱDC_DL_BLER）が、指定された期間（タイマＴDC_DL_SIR、ＴDC_DL_BLER）中、特定のしきい値未満であるかどうか。
【００２１】
３）ＤＬ共用データチャネル
３ａ）ＤＬデータ共用物理チャネルの品質、例えば、ＳＩＲ、ＥｂＮｏ、ＣＲＣ／ＢＬＥＲなど（ＱSD_DL_SIR、ＱSD_DL_BLER）が、指定された期間（タイマＴD_DL_SIR、ＴD_DL_BLER）中、特定のしきい値未満であるかどうかと、
３ｂ）ＷＴＲＵで生成され、ＤＬデータパケット用にＵＬでフィードバックされるＡＣＫ／ＮＡＣＫ比が、指定されたしきい値（ＱSD_DL ACK）未満であるかどうかと、
３ｃ）ＵＬデータパケット用にｅＮｏｄｅＢからフィードバックされるＡＣＫ／ＮＡＣＫ比が、指定されたしきい値（ＱSD_UL ACK）未満であるかどうかと、
３ｂ）項目３ｂ）および３ｃ）の組み合わせ。
【００２２】
４）ＵＬ資源認可
４ａ）割り振られたＵＬ資源がＳＲＢビット速度を保証できないかどうかと、
４ｂ）アップリンク専用物理チャネルで送信された単一／複数の資源要求（ＣUL_Request）への応答なしに続いてタイムアウトがあるかどうかと、
４ｃ）アクティブ状態のランダムアクセスチャネル（ＲＡＣＨ）で送信された単一または複数の資源要求（ＲUL_Request）への応答なしに続いてタイムアウトがあるどうか。
【００２３】
５）ＤＬ専用伝送用の定期的ＤＬチャネル
５ａ）ＤＬデータ共用物理チャネルの品質、例えば、ＳＩＲ、ＥｂＮｏおよびＣＲＣ／ＢＬＥＲなどが、指定された期間（タイマＴD_DL_SIR、ＴD_DL_BLER）中、特定のしきい値未満であるかどうかと、
５ｂ）ＤＬデータパケット用にＷＴＲＵで生成されたＡＣＫ／ＮＡＣＫ比が、指定されたしきい値（ＱDL_Dedi_ACK）未満であるかどうかと、
５ｃ）ＵＬデータパケット用にｅＮｏｄｅＢからのフィードバックとして提供されるＡＣＫ／ＮＡＣＫ比が、指定されたしきい値（ＱUL_Dedi_ACK）未満であるかどうかと、
５ｄ）ＤＬ  ＲＬ障害を判定するために用いられる基準と同様の基準に基づいてＲＬ障害をプローブする（すなわち、「ピングする（ｐｉｎｇ）」）ためにＵＬシンチャネルが使用されるかどうかと、
５ｅ）項目５ｂ）および５ｃ）の組み合わせ。
【００２４】
ｅＮｏｄｅＢ  １１０は、好ましくは、上記の量およびパラメータの組み合わせ、ならびにＲＬ状況の検出に用いられる、対応するしきい値、タイマ、カウンタを選択し、選択された構成をＷＴＲＵ  １０５に伝送する。ＤＬ  ＲＬ障害の検出をサポートするための構成信号としては、好ましくは、
１）ＲＬ障害検出用の推定量およびパラメータの組み合わせと、
２）ＲＬ障害のタイマ構成が好ましくはＷＴＲＵ感度に基づいている、各量およびパラメータについての特定のタイマ期間と、
３）各量およびパラメータについての特定のカウンタ
がある。
【００２５】
ＷＴＲＵ  １０５は、一旦ＷＴＲＵ  １０５がこの情報で構成され終わると、ＲＬ検出プロセスを開始できる。ＤＬ  ＲＬ障害検出用のシグナリングは、好ましくは、ＤＬ  ＲＬ障害標示を使用する。好ましくは「キープアライブ」（シンチャネルを使用する）ケースを扱う実施形態で、または「非キープアライブ」（シンチャネルを使用しない）ケースを扱う実施形態で、高レベルの手順が実施できる。
【００２６】
図２Ａは、無線通信における本発明によるＤＬ  ＲＬ障害検出手順を、ＷＴＲＵ  １０５およびｅＮｏｄｅＢ  １１０を含めて示したシグナリング図である。図２Ａに示されているように、ＣＱＩが、ＤＬ基準チャネルから測定されて、ｅＮｏｄｅＢ  １１０からのフィードバックとしてＷＴＲＵ  １０５に提供される。ＤＬ  ＲＬ障害検出は、ＤＬ共用制御チャネル、ＤＬ共用データチャネル、ＵＬ資源認可またはＤＬシンチャネルの障害を検出することができる。
【００２７】
概して言えば、本発明によれば、高レベルＤＬ  ＲＬ検出手順は、好ましくは、以下のステップによって実施される。
【００２８】
１）推定量の組み合わせが、ＤＬ  ＲＬ障害検出の基準として使用できるように選択される。推定量は、好ましくは、上述の基準の組み合わせである。好ましくは、推定量と共に、上記段落で個別に説明されているように関連のしきい値およびタイマが含められる。好ましくは、構成はｅＮｏｄｅＢ  １１０によって判定され、ＷＴＲＵ  １０５に通知される。
【００２９】
２）ＷＴＲＵ  １０５は、好ましくは、検出手順を開始する前に、量およびパラメータの選択された組み合わせによって構成される。好ましくは、ＷＴＲＵ  １０５のＭＡＣ構成要素は、この目的のために、選択的に構成可能である機能が備えられている。
【００３０】
３）ＷＴＲＵ  １０５は、次に、好ましくはそのＭＡＣ構成要素を介して、量およびパラメータの選択された組み合わせをモニタする。構成された推定量が、事前に構成された期間内に、選択されたしきい値を満たさない場合、ＤＬ  ＲＬ障害が検出され、宣言される。
【００３１】
４）ＷＴＲＵ  １０５は、次に、障害状況をｅＮｏｄｅＢ  １１０に通知する。
【００３２】
５）次に、ＤＬ  ＲＬ回復の処置が取られ、新しい検出のためのタイマおよびカウンタがリセットされる。
【００３３】
本発明の第１の実施形態によれば、ＳＲＢのキープアライブチャネルシナリオ用の高レベルＤＬ  ＲＬ検出手順、事前に割り振られたＤＬシンチャネルが維持される。ＳＲＢ用に維持される事前に割り振られたＤＬシンチャネルがある場合、チャネル品質はＤＬシンチャネル上で測定され、好ましくは、ＤＬ  ＳＲＢ伝送のための品質を推定するための主要な量として選択される。ＷＴＲＵの構成に使用する推定量の組み合わせをＤＬ  ＲＬ障害検出が選択するのを援助するための補足的な方法として使用されるように、他の推定量が選択される。
【００３４】
本発明の第２の実施形態によれば、ＳＲＢの非キープアライブチャネルシナリオ用の高レベルＤＬ  ＲＬ検出手順が実施される。この場合には、ＳＲＢサービス用の事前に割り振られたＤＬシンチャネルはない。他の定期的なＤＬ受信、例えば、ＤＬ基準チャネルなどがあるが、これらは、ＤＬ  ＳＲＢ伝送に直接は関係ない。したがって、そのような他の定期的なＤＬ受信は、ＤＬ  ＳＲＢを伝送する共用データチャネルを含むことが好ましい他の量と組み合わせて使用されることのみが好ましい。
【００３５】
図２Ｂは、ＤＬ  ＲＬ障害を検出するための方法２００の流れ図である。ステップ２０５において、ＳＲＢ用に維持される事前に割り振られたＤＬシンチャネルがある場合、ＤＬ  ＳＲＢ伝送のための品質を推定するために、ＤＬシンチャネルのチャネル品質が測定される。ステップ２１０において、ＤＬ  ＲＬ障害検出を実行するために量およびパラメータが構成され、そのＤＬ  ＲＬ障害検出がステップ２１５で実行される。ステップ２１５でＤＬ  ＲＬ障害が検出されて、宣言されると、ステップ２２０で、ＷＴＲＵがＤＬ  ＲＬ障害状況をｅＮｏｄｅＢに通知する。次いで、そのＷＴＲＵは、ステップ２２５で、ＤＬ  ＲＬ回復のために必要な処置を実行し、ステップ２３０で、新しいＲＬ障害検出のためのタイマおよびカウンタをリセットする。
【００３６】
ＵＬにおけるＲＬ障害の検出  −  ｅＮｏｄｅＢにおける手順
図１に示すように、ＵＬ伝送の場合、スケジューリング情報が、やはり、ＤＬ共用制御チャネル１１５上をｅＮｏｄｅＢ  １１０からＷＴＲＵ  １０５に伝送される。ＷＴＲＵ  １０５からｅＮｏｄｅＢ  １１０に制御情報を送信するには、ＵＬ共用制御チャネル１４０が使用される。ＤＬ共用制御チャネル１１５で受信される制御シグナリングから、ＷＴＲＵ  １０５は、割り振られる物理資源についての情報を受信する。ＷＴＲＵ  １０５からｅＮｏｄｅＢ  １１０にデータを伝送するには、ＵＬ共用データチャネル１４５が使用される。ＷＴＲＵ  １０５からＵＬパケットを受信した後、ｅＮｏｄｅＢ  １１０は、Ｈ−ＡＲＱフィードバック（ＡＣＫ／ＮＡＣＫ）１５０をＷＴＲＵ  １０５に伝送する。さらに、ｅＮｏｄｅＢ  １１０は、ＷＴＲＵ  １０５から伝送されて、ｅＮｏｄｅＢ  １１０によって受信される少なくとも１つのＵＬ基準チャネル１６０の測定および推定に基づいて、ＷＴＲＵ  １０５にＣＱＩ  １５５を伝送する。
【００３７】
ｅＮｏｄｅＢ  １１０は、同期内状況または同期外れ状況が検出されるかを継続的に判定し、結果をシグナリングメッセージによって報告する。上位層構成要素は、好ましくは、同期外れ状況が検出された場合のみ、適切な基準ならびに関連のタイマおよびカウンタに基づいてＲＬ障害を宣言するように構成される。好ましくは、ｅＮｏｄｅＢ  １１０のＭＡＣ層構成要素は、同期内状況または同期外れ状況が検出されたかを判定するように構成される。ＵＬ  ＲＬ障害検出の推定に用いられる量については以下で説明されているが、好ましくは、ＬＴＥ  ＵＬチャネル構造の特性に基づく。
【００３８】
ＬＴＥ  ＵＬチャネル構造の新しい特性に起因して、ＵＬ  ＲＬ障害検出の推定用にいくつかの新しい量を使用しなければならない。これらの量は、ＤＬ  ＲＬ障害検出に使用されたものと正確に同じでなくてよい。
【００３９】
ｅＮｏｄｅＢ  １１０において、ＵＬ共用制御チャネルおよびＵＬ共用データチャネルに保管されている情報がＵＬ  ＲＬ障害検出の推定量として使用される。特に、ＵＬ内で定期的および／または一時的に割り振られるリンクを提供するためにＵＬシンチャネルが使用される。したがって、ＵＬ  ＲＬ障害検出用の新規の基準およびパラメータは、以下のうちの１つまたは複数を含む可能性がある。
【００４０】
１）報告されるＣＱＩは、指定された期間ＴUL_CQI内（スライディングウィンドウの平均）で特定のしきい値ＱUL_CQI未満であるかどうか。
【００４１】
１ａ）ＷＴＲＵに報告される（ＵＬ基準チャネルから測定された）ＣＱＩが、一定の期間ＴUL_CQI内で指定されたしきい値ＱUL_CQI未満であるかどうかと、
１ｂ）ＷＴＲＵからの（ｅＮｏｄｅＢから伝送されたＤＬ基準チャネル上で測定された）フィードバックからのＣＱＩが、一定の期間ＴDL_CQI内で指定されたしきい値ＱDL_CQI未満であるかどうかと、
１ｃ）ＵＬおよびＤＬ両方のＣＱＩの組み合わせ。
【００４２】
２）速度要求受信  −  事前に定義された定期的またはポーリングＵＬタイミング同期信号が、指定された期間ＴUL_Thin、受信されないかどうか。
【００４３】
３）ＵＬデータ受信
３ａ）スケジューリング認可に対する応答が、指定された期間ＴUL_Resp_ULGrant、受信されないかどうかと、
３ｂ）ＡＣＫ／ＮＡＣＫ比および／または破棄されたＤＬ伝送の数が、指定されたしきい値ＲUL_ACK未満であるかどうか。
【００４４】
４）ＵＬデータＢＬＥＲ  −  ＷＴＲＵのＵＬ共用データチャネルから最後のデータ伝送を試みたときにＡＣＫ／ＮＡＣＫによって計算される。
【００４５】
５）ＵＬ資源認可
割り振られたＵＬ資源がＳＲＢビット速度を保証できない、および複数の資源要求への応答なしに続くタイムアウト。
【００４６】
６）ＵＬ制御受信  −  ＵＬ共用物理チャネルの品質が、指定された期間ＴUL_SIR、ＴUL_BLER中、特定のしきい値ＱUL_SIR、ＱUL_BLER（ＳＩＲ、ＥｂＮｏ、ＣＲＣ／ＢＬＥＲなど）未満であるかどうか。
【００４７】
より高位の層は、上記の量、ならびに適切なしきい値、タイマ、カウンタおよびパラメータ（上述のとおり）は何であるべきかの、ＵＬ  ＲＬ状況の検出に使用すべきサブセットを判定すべきである。ＵＬ  ＲＬ障害をサポートするには、以下のパラメータが構成されるべきである。
【００４８】
１）ＵＬ  ＲＬ障害検出に使用する推定量およびパラメータと、
２）各量および特殊なパラメータについて特定のタイマ期間と、
３）各量および特殊なパラメータについての特定のカウンタ。ＵＬ  ＲＬ障害検出のためのシグナリングは、ＵＬ  ＲＬ障害標示にすることができる。
【００４９】
ｅＮｏｄｅＢは、ｅＮｏｄｅＢが上記の情報で構成され終わると、ＵＬ  ＲＬ検出プロセスを開始できる。ＷＴＲＵについての上述の説明と同様に、キープアライブ（シンチャネルを使用する）ケースおよび非キープアライブ（シンチャネルを使用しない）ケースを扱う２つの実施形態で高レベルの手順が提案できる。
【００５０】
図３Ａは、無線通信における本発明によるＵＬ  ＲＬ障害検出手順を、ＷＴＲＵ  １０５およびｅＮｏｄｅＢ  １１０を含めて示したシグナリング図である。図３Ａに示すように、ＣＱＩが、ＵＬ基準チャネルから測定されて、ＷＴＲＵ  １０５によって報告される。ＵＬ  ＲＬ障害検出は、ＵＬ速度要求（シンＵＬチャネルまたは非同期ランダムアクセスチャネル（ＲＡＣＨ））、ＵＬ共用制御チャネル、ＵＬ共用データチャネルまたはＵＬ資源認可の障害を検出することができる。
【００５１】
本発明の第３の実施形態によれば、ＳＲＢのキープアライブチャネルシナリオは次のように実施される。
【００５２】
１）このシナリオでは、ＳＲＢ用に維持される事前に定義されたＵＬシンチャネルがあるので、ＵＬ  ＳＲＢ伝送のための品質を推定するための主要な因子として、ＵＬシンチャネル上でチャネル品質を測定することが提案される。ＲＬ障害をプローブする（すなわち、「ピングする」）ためにＤＬシンチャネルが使用されてよい。ＵＬ  ＲＬ障害を判定するために用いられる基準と同様の基準に基づいてプローブしてよい。
【００５３】
２）ＵＬ  ＲＬ障害検出を援助するための補足的な方法として他の推定量が使用できる。検出手順を開始する前に正確な量およびパラメータが構成されるべきである。
【００５４】
３）構成された推定量が、事前に構成された期間内に特定のしきい値を満たさない場合、ＵＬ  ＲＬ障害が検出され、それが宣言されるべきである。次いで、
ａ）ｅＮｏｄｅＢは障害状況をＷＴＲＵに通知すべきであり、
ｂ）ｅＮｏｄｅＢはＵＬ  ＲＬ回復のために必要な処置を取るべきであり、
ｃ）ｅＮｏｄｅＢは新しい検出のためのタイマおよびカウンタをリセットすべきである。
【００５５】
本発明の第４の実施形態によれば、ＳＲＢの非キープアライブチャネルシナリオ用の高レベルＵＬ  ＲＬ検出手順は次のように実施される。
【００５６】
１）この場合には、ＳＲＢサービス用に事前に割り振られたＵＬシンチャネルはない。他の定期的なＵＬ受信、例えば、ＵＬ基準チャネルなどがあるが、これらはＵＬ  ＳＲＢ伝送に直接は関係ないので、それらは、他の量、特にＵＬ  ＳＲＢを伝送する共用データチャネルと組み合わせることにより、使用できる。
【００５７】
２）以下の手順は、第３の実施形態のステップ３）で説明された手順と同様である。
【００５８】
上述の推定量は、ＵＬ  ＲＬ障害検出を援助するために使用できる。検出手順を開始する前に正確な量およびパラメータ（その一部または全部）が構成されるべきである。
【００５９】
構成された推定量が、事前に構成された期間内に特定のしきい値を満たさない場合、ＵＬ  ＲＬ障害が検出され、それが宣言されるべきである。次いで、
ａ）ｅＮｏｄｅＢは障害状況をＷＴＲＵに通知すべきであり、
ｂ）ｅＮｏｄｅＢはＵＬ  ＲＬ回復のために必要な処置を取るべきであり、
ｃ）ｅＮｏｄｅＢは新しい検出のためのタイマおよびカウンタをリセットすべきである。断続的受信（ＤＲＸ）／断続的伝送（ＤＴＸ）が原因のギャップは、タイマまたは測定値を設定する間に適切に対処すべきである。
【００６０】
図３Ｂは、アップリンク無線リンク障害を検出するための方法３００の流れ図である。ステップ３０５において、ＳＲＢ用に維持される事前に割り振られたＵＬシンチャネルがある場合、ＵＬ  ＳＲＢ伝送のための品質を推定するために、ＵＬシンチャネルのチャネル品質が測定される。ステップ３１０において、ＵＬ  ＲＬ障害検出を実行するために量およびパラメータが構成される。ステップ３１５でＵＬ  ＲＬ障害が検出されて、宣言されると、ステップ３２０で、ｅＮｏｄｅＢがＵＬ  ＲＬ障害状況をＷＴＲＵに通知する。そのｅＮｏｄｅＢは、ステップ３２５で、ＵＬ  ＲＬ回復のために必要な処置を実行し、ステップ３３０で、新しいＲＬ障害検出のためのタイマおよびカウンタをリセットする。
【００６１】
実施形態
１．少なくとも１つの無線送受信ユニット（ＷＴＲＵ）および少なくとも１つのＮｏｄｅ−Ｂを備えた無線通信システムにおける無線リンク（ＲＬ）障害を検出する方法であって、
ＲＬが同期内状況であるか、同期外れ状況であるかを検出するステップと、
同期外れ状況が検出された場合にＲＬ障害を宣言するステップと
を含む方法。
２．ダウンリンク（ＤＬ）基準チャネルから測定されたチャネル品質標識（ＣＱＩ）が前記Ｎｏｄｅ−Ｂに報告され、前記ＣＱＩが、特定の期間内でしきい値未満である場合、前記ＲＬ障害が宣言される実施形態１に記載の方法。
３．前記ＷＴＲＵによって伝送されたアップリンク（ＵＬ）基準チャネル上で測定されたチャネル品質標識（ＣＱＩ）が、特定の期間内でしきい値未満である場合、前記ＲＬ障害が宣言される実施形態１および２のいずれか１つに記載の方法。
４．ダウンリンク（ＤＬ）データ共用物理チャネルの品質が、指定された期間中、特定のしきい値未満である場合、前記ＲＬ障害が宣言される実施形態１〜３のいずれか１つに記載の方法。
５．前記ＷＴＲＵで、指定された比率未満の肯定応答（ＡＣＫ）／否定応答（ＮＡＣＫ）比が生成された場合、前記ＲＬ障害が宣言される実施形態１〜４のいずれか１つに記載の方法。
６．前記無線通信システムが長期発展（ＬＴＥ）システムであり、前記Ｎｏｄｅ−Ｂが発展版Ｎｏｄｅ−Ｂ（ｅＮｏｄｅＢ）である実施形態１〜５のいずれか１つに記載の方法。
７．前記ｅＮｏｄｅＢが量および適切なしきい値、タイマ、カウンタならびにパラメータの、ＲＬ状況の検出に使用すべきサブセットを選択するステップと、
前記ｅＮｏｄｅＢが前記選択されたサブセットを前記ＷＴＲＵに通知するステップと
をさらに含む実施形態６に記載の方法。
８．少なくとも１つの無線送受信ユニット（ＷＴＲＵ）および少なくとも１つの発展版Ｎｏｄｅ−Ｂ（ｅＮｏｄｅＢ）を備えた長期発展（ＬＴＥ）無線通信システムにおける無線リンク（ＲＬ）障害を検出する方法であって、
シグナリング無線ベアラ（ＳＲＢ）用に維持される事前に割り振られたダウンリンクシンチャネルがある場合、ダウンリンクＳＲＢ伝送のための品質を推定するために、ダウンリンクシンチャネルのチャネル品質を測定するステップと、
ダウンリンクＲＬ障害を実行するために量およびパラメータを構成するステップと、
ダウンリンクＲＬ障害が検出された場合、前記ＷＴＲＵがダウンリンクＲＬ障害状況を前記ｅＮｏｄｅＢに通知するステップと
を含む方法。
９．前記ダウンリンクシンチャネルは、定期的および／または一時的に特定のＷＴＲＵに割り振られる非競合型チャネルである実施形態８に記載の方法。
１０．前記ＷＴＲＵがダウンリンクＲＬ回復を開始するために必要な処置を取るステップと、
前記ＷＴＲＵが新しいＲＬ障害検出を実行するためのタイマおよびカウンタをリセットするステップと
をさらに含む実施形態８および９のいずれか１つに記載の方法。
１１．ダウンリンク（ＤＬ）基準チャネルから測定されたチャネル品質標識（ＣＱＩ）が前記ｅＮｏｄｅＢに報告され、前記ＣＱＩが、特定の期間内でしきい値未満である場合、前記ＲＬ障害が宣言される実施形態８〜１０のいずれか１つに記載の方法。
１２．前記ＷＴＲＵによって伝送されたアップリンク（ＵＬ）基準チャネル上で測定されたチャネル品質標識（ＣＱＩ）が、特定の期間内でしきい値未満である場合、前記ＲＬ障害が宣言される実施形態８〜１１のいずれか１つに記載の方法。
１３．ダウンリンク（ＤＬ）データ共用物理チャネルの品質が、指定された期間中、特定のしきい値未満である場合、前記ＲＬ障害が宣言される実施形態８〜１２のいずれか１つに記載の方法。
１４．前記ＷＴＲＵで、指定された比率未満の肯定応答（ＡＣＫ）／否定応答（ＮＡＣＫ）比が生成された場合、前記ＲＬ障害が宣言される実施形態８〜１３のいずれか１つに記載の方法。
１５．少なくとも１つの無線送受信ユニット（ＷＴＲＵ）および少なくとも１つの発展版Ｎｏｄｅ−Ｂ（ｅＮｏｄｅＢ）を備えた長期発展（ＬＴＥ）無線通信システムにおける無線リンク（ＲＬ）障害を検出する方法であって、
シグナリング無線ベアラ（ＳＲＢ）用に維持される事前に割り振られたアップリンクシンチャネルがある場合、アップリンクＳＲＢ伝送のための品質を推定するために、アップリンクシンチャネルのチャネル品質を測定するステップと、
アップリンクＲＬ障害を実行するために量およびパラメータを構成するステップと、
アップリンクＲＬ障害が検出された場合、前記ｅＮｏｄｅＢがアップリンクＲＬ障害状況を前記ＷＴＲＵに通知するステップと
を含む方法。
１６．前記アップリンクシンチャネルは、定期的および／または一時的に特定のＷＴＲＵに割り振られる非競合型チャネルである実施形態１５に記載の方法。
１７．前記ｅＮｏｄｅＢがアップリンクＲＬ回復を開始するために必要な処置を取るステップと、
前記ｅＮｏｄｅＢが新しいＲＬ障害検出を実行するためのタイマおよびカウンタをリセットするステップと
をさらに含む実施形態１５および１６のいずれか１つに記載の方法。
１８．アップリンク（ＵＬ）基準チャネルから測定されたチャネル品質標識（ＣＱＩ）が前記ｅＮｏｄｅＢに報告され、前記ＣＱＩが、特定の期間内でしきい値未満である場合、前記ＲＬ障害が宣言される実施形態１５〜１７のいずれか１つに記載の方法。
１９．前記ｅＮｏｄｅＢによって伝送されたダウンリンク（ＤＬ）基準チャネル上で測定されたチャネル品質標識（ＣＱＩ）が、特定の期間内でしきい値未満である場合、前記ＲＬ障害が宣言される実施形態１５〜１８のいずれか１つに記載の方法。
２０．アップリンク（ＵＬ）データ共用物理チャネルの品質が、指定された期間中、特定のしきい値未満である場合、前記ＲＬ障害が宣言される実施形態１５〜１９のいずれか１つに記載の方法。
２１．前記ｅＮｏｄｅＢで、指定された比率未満の肯定応答（ＡＣＫ）／否定応答（ＮＡＣＫ）比が生成された場合、前記ＲＬ障害が宣言される実施形態１５〜２０のいずれか１つに記載の方法。
２２．事前に定義された定期的またはポーリングＵＬタイミング同期信号が、指定された期間、受信されない場合、前記ＲＬ障害が宣言される実施形態１５〜２１のいずれか１つに記載の方法。
２３．スケジューリング認可に対する応答が、指定された期間、行われない場合、前記ＲＬ障害が宣言される実施形態１５〜２２のいずれか１つに記載の方法。
２４．無線リンク（ＲＬ）障害を検出するための長期発展（ＬＴＥ）無線通信システムであって、
少なくとも１つの無線送受信ユニット（ＷＴＲＵ）と、
同期外れ状況が検出された場合、ＲＬ障害が宣言される少なくとも１つの発展版Ｎｏｄｅ−Ｂ（ｅＮｏｄｅＢ）と
を備えるシステム。
２５．前記ｅＮｏｄｅＢと前記ＷＴＲＵの間に確立されるダウンリンク共用制御チャネルと、
前記ｅＮｏｄｅＢと前記ＷＴＲＵの間に確立されるダウンリンク共用データチャネルと、
前記ｅＮｏｄｅＢと前記ＷＴＲＵの間に確立される少なくとも１つのダウンリンク基準チャネルと、
前記ｅＮｏｄｅＢと前記ＷＴＲＵの間に確立されるダウンリンクシンチャネルと
をさらに備える実施形態２４に記載のＬＴＥ無線通信システム。
２６．前記ダウンリンクシンチャネルは、定期的および／または一時的に特定のＷＴＲＵに割り振られる非競合型チャネルである実施形態２４および２５のいずれか１つに記載のシステム。
２７．前記ｅＮｏｄｅＢと前記ＷＴＲＵの間に確立されるアップリンク共用制御チャネルと、
前記ｅＮｏｄｅＢと前記ＷＴＲＵの間に確立されるアップリンク共用データチャネルと、
前記ｅＮｏｄｅＢと前記ＷＴＲＵの間に確立される少なくとも１つのアップリンク基準チャネルと、
前記ｅＮｏｄｅＢと前記ＷＴＲＵの間に確立されるアップリンクシンチャネルと
をさらに備える実施形態２４〜２６のいずれか１つに記載のＬＴＥ無線通信システム。
２８．前記アップリンクシンチャネルは、定期的および／または一時的に特定のＷＴＲＵに割り振られる非競合型チャネルである実施形態２７に記載のシステム。
２９．長期発展（ＬＴＥ）無線通信システムにおいて無線通信用に構成される無線送受信ユニット（ＷＴＲＵ）であって、
ダウンリンク（ＤＬ）ＲＬ障害検出を実行するために、基地局から受信された無線リンク（ＲＬ）障害検出構成データに基づいて選択的に構成可能な処理構成要素であって、前記処理構成要素が基地局からＲＬ障害検出構成データを受信したとき、前記処理構成要素は、ＤＬ  ＲＬ障害を検出するために、前記受信されたＲＬ障害検出構成データによって指定された基準をモニタするように構成可能な処理構成要素と、
ＤＬ  ＲＬ障害が検出されたときにＤＬ  ＲＬ障害標示を生成するようにさらに構成される前記処理構成要素と
を備えるＷＴＲＵ。
３０．前記ＷＴＲＵは、物理（ＰＨＹ）層、中間アクセス制御（ＭＡＣ）層および上位層を含む処理層の階層を用いて構成され、前記処理構成要素はＭＡＣ層構成要素である実施形態２９に記載のＷＴＲＵ。
３１．前記ＷＴＲＵは、ＤＬ  ＲＬ障害標示が生成されたとき、ＤＬ  ＲＬ障害標示を前記基地局へ伝送するように構成される実施形態２９および３０のいずれか１つに記載のＷＴＲＵ。
３２．前記ＷＴＲＵは、ＤＬ  ＲＬ障害標示が生成されたとき、ＤＬ  ＲＬ回復処置を実行するように構成される実施形態２９〜３１のいずれか１つに記載のＷＴＲＵ。
３３．前記基地局が発展版Ｎｏｄｅ−Ｂ（ｅＮｏｄｅＢ）である実施形態２９〜３２のいずれか１つに記載のＷＴＲＵ。
３４．前記処理構成要素は、受信された構成データに基づいて、選択された組み合わせの基準をモニタするように構成され、前記基準は、
ＤＬ基準チャネルから、例えば、パイロットチャネルまたはブロードキャストチャネルから測定されて、前記基地局に報告されるチャネル品質標識（ＣＱＩ）が、一定の期間内で指定されたしきい値未満であるかどうかと、
前記ＷＴＲＵから伝送されたアップリンク（ＵＬ）基準チャネル上で測定された、前記ＷＴＲＵによって報告されたＣＱＩが、一定の期間内で指定されたしきい値未満であるかどうか、または規則的に受信できないかどうかと、
ＵＬおよびＤＬ両方のＣＱＩの組み合わせと、
ＤＬ共通共用制御物理チャネルの品質、例えば、信号対干渉比（ＳＩＲ）、ビットエネルギー対雑音電力スペクトル密度（ＥｂＮｏ）、または巡回冗長検査（ＣＲＣ）対ブロックエラー比（ＢＬＥＲ）の比率（ＣＲＣ／ＢＬＥＲ）が、指定された期間中、特定のしきい値未満であるかどうかと、
ＤＬ専用共用制御物理チャネルの品質、例えば、ＳＩＲ、ＥｂＮｏまたはＣＲＣ／ＢＬＥＲなどが、指定された期間中、特定のしきい値未満であるかどうかと、
ＤＬデータ共用物理チャネルの品質、例えば、ＳＩＲ、ＥｂＮｏまたはＣＲＣ／ＢＬＥＲなどが、指定された期間中、特定のしきい値未満であるかどうかと、
前記ＷＴＲＵで生成され、ＤＬデータパケット用にＵＬでフィードバックされる肯定応答対否定応答（ＡＣＫ／ＮＡＣＫ）比が、指定されたしきい値未満であるかどうかと、
ＵＬデータパケット用に前記基地局からフィードバックされるＡＣＫ／ＮＡＣＫ比が、指定されたしきい値未満であるかどうかと、
ＤＬデータパケット用に前記ＷＴＲＵで生成され、ＵＬでフィードバックされるＡＣＫ／ＮＡＣＫ比が、指定されたしきい値未満であるかどうか、およびＵＬデータパケット用に前記基地局からフィードバックされるＡＣＫ／ＮＡＣＫ比が、指定されたしきい値未満であるかどうかの組み合わせと、
割り振られたＵＬ資源がシグナリング無線ベアラ（ＳＲＢ）ビット速度を保証できないかどうかと、
アップリンク専用物理チャネルで送信された単一／複数の資源要求への応答なしに続いてタイムアウトがあるかどうかと、
アクティブ状態のランダムアクセスチャネル（ＲＡＣＨ）で送信された単一または複数の資源要求への応答なしに続いてタイムアウトがあるどうかと、
ＤＬデータ共用物理チャネルの品質、例えば、ＳＩＲ、ＥｂＮｏまたはＣＲＣ／ＢＬＥＲなどが、指定された期間中、特定のしきい値未満であるかどうかと、
ＤＬデータパケット用に前記ＷＴＲＵで生成されたＡＣＫ／ＮＡＣＫ比が、指定されたしきい値未満であるかどうかと、
ＵＬデータパケット用に前記基地局からのフィードバックとして提供されるＡＣＫ／ＮＡＣＫ比が、指定されたしきい値未満であるかどうかと、
ＤＬデータパケット用に前記ＷＴＲＵで生成されたＡＣＫ／ＮＡＣＫ比が、指定されたしきい値未満であるかどうか、およびＵＬデータパケット用に前記基地局からのフィードバックとして提供されるＡＣＫ／ＮＡＣＫ比が、指定されたしきい値未満であるかどうかとの組み合わせと、
のうちの１つまたは複数を含む実施形態２９〜３２のいずれか１つに記載のＷＴＲＵ。
３５．長期発展（ＬＴＥ）無線通信システムにおける無線通信用に構成される発展版Ｎｏｄｅ−Ｂ（ｅＮｏｄｅＢ）であって、
アップリンク（ＵＬ）ＲＬ障害検出を実行するために、基地局から受信された無線リンク（ＲＬ）障害検出構成データに基づいて選択的に構成可能な処理構成要素であって、前記処理構成要素が無線送受信ユニット（ＷＴＲＵ）からＲＬ障害検出構成データを受信したとき、前記処理構成要素は、ＵＬ  ＲＬ障害を検出するために、前記受信されたＲＬ障害検出構成データによって指定された基準をモニタするように構成可能な処理構成要素と、
ＵＬ  ＲＬ障害が検出されたとき、ＵＬ  ＲＬ障害標示を生成するようにさらに構成される前記処理構成要素と
を備えるｅＮｏｄｅＢ。
３６．前記ｅＮｏｄｅＢは、物理（ＰＨＹ）層、中間アクセス制御（ＭＡＣ）層および上位層を含む処理層の階層を用いて構成され、前記処理構成要素はＭＡＣ層構成要素である実施形態３５に記載のｅＮｏｄｅＢ。
３７．前記ｅＮｏｄｅＢは、ＵＬ  ＲＬ障害標示が生成されたとき、ＵＬ  ＲＬ障害標示を前記ＷＴＲＵへ伝送するように構成される実施形態３５および３６のいずれか１つに記載のｅＮｏｄｅＢ。
３８．前記ｅＮｏｄｅＢは、ＵＬ  ＲＬ障害標示が生成されたとき、ＵＬ  ＲＬ回復処置を実行するように構成される実施形態３５〜３７のいずれか１つに記載のｅＮｏｄｅＢ。
３９．前記処理構成要素は、受信された構成データに基づいて、選択された組み合わせの基準をモニタするように構成され、前記基準は、
ＵＬ基準チャネルから測定されたチャネル品質標識（ＣＱＩ）が、一定の期間内で指定されたしきい値未満であるかどうかと、
前記ｅＮｏｄｅＢから伝送されたダウンリンク（ＤＬ）基準チャネル上で測定された、前記ＷＴＲＵからのフィードバックからのＣＱＩが、一定の期間内で指定されたしきい値未満であるかどうかと
のうちの１つまたは複数を含む実施形態３５〜３８のいずれか１つに記載のｅＮｏｄｅＢ。
【００６２】
本発明は、必要であれば任意のタイプの無線通信システムで実施できる。例としてであるが、本発明は、任意のタイプのＬＴＥ、ＯＦＤＭ−ＭＩＭＯ、または任意の他のタイプの無線通信システムで実施できる。本発明は、また、ソフトウェア、ＤＳＰで、またはアプリケーション固有集積回路（ＡＳＩＣ）などの集積回路、複数の集積回路、論理的プログラマブルゲートアレイ（ＬＰＧＡ）、複数のＬＰＧＡ、個別の構成要素、または集積回路（１つまたは複数）、ＬＰＧＡ（１つまたは複数）、および個別の構成要素（１つまたは複数）の組み合わせで実施することもできる。
【００６３】
本発明の機能および要素は、最良の実施形態の中で特定の組み合わせで説明されているが、各機能または要素は、最良の実施形態の他の機能および要素との併用ではなく、単独で使用することもできるし、または本発明の他の機能および要素との併用の、または併用ではない様々な組み合わせで使用することもできる。本発明で提供される方法またはフローチャートは、汎用コンピュータまたはプロセッサによって実行できるようにコンピュータ可読記憶媒体上に具体的に体現されたコンピュータプログラム、ソフトウェアまたはファームウェアで実現されてよい。コンピュータ可読記憶媒体の例としては、読み取り専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、ならびにＣＤ−ＲＯＭディスクおよびデジタル多用途媒体（ＤＶＤ）などの光媒体などがある。
【００６４】
適切なプロセッサとしては、例としてであるが、汎用プロセッサ、特殊目的プロセッサ、従来型プロセッサ、デジタル信号プロセッサ（ＤＳＰ）、複数のマイクロプロセッサ、ＤＳＰコアと関連付けられた１つまたは複数のマイクロプロセッサ、コントローラ、マイクロコントローラ、アプリケーション固有集積回路（ＡＳＩＣ）、フィールドプログラマブルゲートアレイ（ＦＰＧＡ）回路、任意の他のタイプの集積回路（ＩＣ）、および／またはステートマシンなどがある。
【００６５】
無線送受信ユニット（ＷＴＲＵ）で使用するための高周波トランシーバ、ユーザ機器（ＵＥ）、端末、基地局、無線ネットワークコントローラ（ＲＮＣ）、または任意のホストコンピュータを稼働するために、ソフトウェアと関連付けられたプロセッサを使用することができる。ＷＴＲＵは、ハードウェアおよび／またはソフトウェアとして実装されるモジュール、例えば、カメラ、ビデオカメラモジュール、ビデオフォン、スピーカフォン、振動デバイス、スピーカ、マイクロフォン、テレビ送受信機、ハンドフリーハンドセット、キーボード、Ｂｌｕｅｔｏｏｔｈ（登録商標）モジュール、周波数変調（ＦＭ）無線ユニット、液晶表示（ＬＣＤ）ディスプレイユニット、有機発光ダイオード（ＯＬＥＤ）表示ユニット、デジタルミュージックプレイヤ、メディアプレイヤ、ビデオゲームプレイヤモジュール、インターネットブラウザ、および／または任意の無線ローカルエリアネットワーク（ＷＬＡＮ）モジュールなどと連動して使用されてよい。
【図面の簡単な説明】
【００６６】
【図１】本発明に従って構成されたＬＴＥのブロック図である。
【図２Ａ】本発明によるＤＬ  ＲＬ障害検出手順を示したシグナリング図である。
【図２Ｂ】ＤＬ  ＲＬ障害を検出するための方法の流れ図である。
【図３Ａ】本発明によるＵＬ  ＲＬ障害検出手順を示したシグナリング図である。
【図３Ｂ】ＵＬ  ＲＬ障害を検出するための方法の流れ図である。
【図１】
2009536502.tif 000003
【図２Ａ】
2009536502.tif 000004
【図２Ｂ】
2009536502.tif 000005
【図３Ａ】
2009536502.tif 000006
【図３Ｂ】
2009536502.tif 000007
【国際調査報告】
2009536502.tif 000008
2009536502.tif 000009
2009536502.tif 000010
2009536502.tif 000011
2009536502.tif 000012